Podtech/llm-jp-corpus-v4-ja_patent huggingface dataset:
(57)【特許請求の範囲】
【請求項１】
撓る手帳サイズのゴム板の四隅の両面に固着したプラスチックの縁取りがあり、縦及び横の曲げに対して１８０度曲がり得る柔軟性を有し、ゴム板の両面共をトイレットペーパーに接するパッド面、又は手押し面として使う、便座除菌用のパッド器具。
【発明の詳細な説明】
【技術分野】
【０００１】
本発明は、実用性に富んだ便座除菌用の携帯パッド器具に関するものである。
【背景技術】
【０００２】
携帯して持ち運べる便座除菌用のパッド器具は、公知されている。  
【０００３】
しかし、手帳サイズの撓るゴム板両面の同じ真っ直ぐの縁にプラスチックの縁取りが固着された構成のパッド器具は、曲げようとしたときに外側面のプラスチックの伸長が容易でないために、固いと感じるほどに十分な曲がりが得られなかったり、パッド器具によっては、ポケットに出し入れするときに面の向きと角度に注意を要するものがあった。
【先行技術文献】
【特許文献】
【０００４】
【特許文献１】特許第６７１９６８８号公報
【発明の概要】
【発明が解決しようとする課題】
【０００５】
特許第６７１９６８８号に見られる携帯パッド器具の問題点は、使用時に縦横の撓りが十分に得られぬものがある点と、ポケットに出し入れが容易とは言えないものがある点である。
【課題を解決するための手段】
【０００６】
本発明は、ゴム板の四隅の両面にプラスチックの縁取りがあるのを特徴とする。
【発明の効果】
【０００７】
本発明の携帯パッド器具は、便座の曲がりに対して柔軟に対応し、ポケットに出し入れするのがスムーズである。
【図面の簡単な説明】
【０００８】
【図１】図１は本発明の携帯パッド器具を曲げた場合の斜視図である。
【図２】図２はゴム板の四隅の両面に縁取りを固着した携帯パッド器具の平面図である。
【図３】図３はゴム板の四隅の両面に縁取りを固着した携帯パッド器具の側面図である。
【図４】図４はゴム板両面の同じ真っ直ぐの縁に縁取りが固着された構成の携帯パッド器具の最大の曲がり具合を示した図である。
【発明を実施するための形態】
【０００９】
撓る手帳サイズのゴム板１の四隅の両面に固着したプラスチックの縁取り２があり、ゴム板の両面共をトイレットペーパーに接するパッド面、又は手押し面として使う。ゴム板の四隅は、丸めるのが適当である。
【実施例１】
【００１０】
図１、図２及び図３は、撓る手帳サイズのゴム板１の四隅の両面にプラスチックの縁取り２を固着した携帯パッド器具である。図には表されていないが、両面の縁取りをゴム板の側面で繋げることもできる。
【００１１】
撓る手帳サイズのゴム板の四隅の両面に縁取りを固着した携帯パッド器具は、縦及び横の軽い力での曲げに対して１８０度曲がり得る柔軟性を有する。
【００１２】
ゴム板の四隅の両面の縁取りがポケット内の布との摩擦を小さくするので、手にある携帯パッド器具は、そのままポケットにスムーズに出し入れできる。
【産業上の利用可能性】
【００１３】
成形した手帳サイズのゴム板に、部分的に縁取りのプラスチックが固着される。
【符号の説明】
【００１４】
１    撓る手帳サイズのゴム板
２    ゴム板の四隅の両面のプラスチックの縁取り
【要約】
【課題】便座の除菌時に縦横の撓りが十分に得られて、ポケットに出し入れがスムーズに行える携帯パッド器具を可能にする。
【解決手段】撓る手帳サイズのゴム板１の四隅の両面にプラスチックの縁取り２を固着する。
【選択図】図１【図１】
0006831939.tif 000002
【図２】
0006831939.tif 000003
【図３】
0006831939.tif 000004
【図４】
0006831939.tif 000005
(57)【特許請求の範囲】
【請求項１】
細長い２枚の板（１）のそれぞれの片端が接続している、ピンセットあるいは毛抜き状の構造であり、板（１）のそれぞれの他端には板（１）の長手方向に対して斜めに刃（２）が付いており、これらの刃（２）がかみ合うように前記それぞれの他端付近が内側に向けて傾斜しており、刃（２）の外側面がなす角が６０度から１５０度の範囲とする、魚の目切除具。
【発明の詳細な説明】
【技術分野】
【０００１】
本発明は、角質を狭い範囲で深く切除することで、魚の目を効果的に切除するのに好適な魚の目切除具に関する。
【背景技術】
【０００２】
魚の目には芯となる角質があり、この芯が痛みの主因となっていることから、魚の目の切除には芯の切除が重要であるが、この芯は狭い範囲に根深く存在するため切除が難しい。
【０００３】
従来技術では、特許文献１から特許文献４において、魚の目を切除する器具が開示されている。また、特許文献５は、魚の目切除を目的とする器具ではないが、魚の目の切除にも使用できると考えられる。
【先行技術文献】
【特許文献】
【０００４】
【特許文献１】実全平０２−００８４１２号公報
【特許文献２】実開平０５−０１１９１２号公報
【特許文献３】実登３０５７５０２号公報
【特許文献４】特開平１１−２２１２３０号公報
【特許文献５】特開２０１２−２２３４８５号公報
【発明の概要】
【発明が解決しようとする課題】
【０００５】
特許文献１から特許文献４に示される器具では、刃の刃渡り部分で切除を行うため、刃渡りが凸状にカーブしているとはいえ、角質を狭い範囲で深く切除することは難しい。また、角質を狭い範囲で深く切除する場合、少しのずれで正常な皮膚まで傷つけてしまうことから繊細な動作が必要であるが、これらの器具では持ち手が患部から離れた位置となるため繊細な動作が難しい。
【０００６】
特許文献５に示される器具は、ピンセット状の切断器具であるため、持ち手が患部に近く繊細な動作ができるが、かみ合う刃の外側面がなす角がおおむね１８０°となっているため、角質を狭い範囲で深く切除することは難しい。
【０００７】
本発明は、従来技術よりも、角質を狭い範囲で深く切除することで、魚の目を効果的に切除するのに好適な魚の目切除具を提供することにある。
【課題を解決するための手段】
【０００８】
細長い２枚の板１のそれぞれの片端が接続している、ピンセットあるいは毛抜き状の構造であり、板１のそれぞれの他端には板１の長手方向に対して斜めに刃２が付いており、これらの刃２がかみ合うように前記それぞれの他端付近が内側に向けて傾斜しており、刃２の外側面がなす角が６０度から１５０度の範囲とする。
【発明の効果】
【０００９】
一般的に、切断を目的にかみ合う刃の外側面がなす角はおおむね１８０°あるいは１８０°よりも大きくなっている。たとえば、一般的な爪切りではおおむね１８０°、ニッパーでは１８０°よりも大きい。本発明は、刃２の外側面がなす角を６０度から１５０度の範囲としていることで、切り始めよりも深い方向へと切り込みながら切り進める（図２）ため、狭い範囲で深く切り込むことができる。
【００１０】
本発明は、板１の長手方向に対して斜めに刃２が付いているため、刃渡り方向を角質表面に対して大きな角度に立てることができ、角質に刺さり込むように切り込むことができる（図３）。また、刃渡り方向を角質表面に対して小さな角度に寝かせることで、角質を薄く広範囲に切除することもできる（図４）。
【００１１】
前記の、切り始めよりも深い方向へと切り込みながら切り進める効果と、刃渡り方向を角質に対して大きな角度に立てることができる効果により、角質を狭い範囲で深く切除することができる。
【００１２】
本発明は、ピンセットや毛抜き状の構造で、持ち手が患部に近いため、特許文献１から特許文献４に示される器具と比較して、繊細な動作をすることができる。また、特許文献１から特許文献４に示される器具では刃の刃渡り部分を使用するのに対して、本発明では刃２の角を使用することにより、角質を狭い範囲で深く切除することができる。
【００１３】
本発明は、特許文献５に示される器具と比較して、刃２の外側面がなす角が小さく、かつ、先端が鋭利なため、角質を狭い範囲で深く切除することができる。
【図面の簡単な説明】
【００１４】
【図１】本発明に係る魚の目切除具の平面図及び側面図である。（ａ）は平面図、（ｂ）は側面図。
【図２】切り込み状態の断面図である。（ａ）は切り始め、（ｂ）は切り終わり。
【図３】刃渡り方向を立てた状態の断面図である。
【図４】刃渡り方向を寝かせた状態の断面図である。
【発明を実施するための形態】
【００１５】
細長い２枚の板１のそれぞれの片端が接続している、ピンセットあるいは毛抜き状の構造であり、板１のそれぞれの他端には板１の長手方向に対して斜めに刃２が付いており、これらの刃２がかみ合うように前記それぞれの他端付近が内側に向けて傾斜しており、刃２の外側面がなす角が６０度から１５０度の範囲とする。
【００１６】
板１の形状は、力を入れやすいように指を添える部分の幅を広げるなど、形状を限定しない。
【００１７】
本発明を実施する材質は、全体を金属製とするほか、刃部のみ金属製として他を樹脂製とすることなども可能であり、材質を限定しない。
【符号の説明】
【００１８】
１    板
２    刃
３    魚の目
４    魚の目の芯
【要約】
【課題】角質を狭い範囲で深く切除することで、魚の目を効果的に切除するのに好適な魚の目切除具を提供する。
【解決手段】細長い２枚の板１のそれぞれの片端が接続している、ピンセットあるいは毛抜き状の構造であり、板１のそれぞれの他端には板１の長手方向に対して斜めに刃２が付いており、これらの刃２がかみ合うように前記それぞれの他端付近が内側に向けて傾斜しており、刃２の外側面がなす角が６０度から１５０度の範囲とする。
【選択図】図１【図１】
0006893756.tif 000002
【図２】
0006893756.tif 000003
【図３】
0006893756.tif 000004
【図４】
0006893756.tif 000005
(57)【特許請求の範囲】
【請求項１】
下衣の裾部分（１）の両端に紐通し口（３）を設け、紐通し口（３）から下衣の裾部分（１）に紐（２）を２本通し、それぞれの紐は結ぶ、又は縫い付けて環状にし、その２本の紐（２）を裾の両端に設けた紐通し口（３）から互いに引っ張り結ぶことで裾が巾着の口部分の形になり、下肢や腰の任意の部分で裾を固定できる下衣であり、紐通し口（３）を裾の両端に設けた事、紐を環状にする事で外観から見えづらく、紐についても太さや種類、リボンやゴムにするなど工夫する事で通常着用時のデザインやシルエット、着心地に影響しないアンダーウェアを含む下衣。
【請求項２】
アンダーウェアに請求項１に記載の下衣を使用した場合は、そのアンダーウェアで下衣の裾を包み込むようにまくり上げて固定できる請求項１に記載の下衣。
【請求項３】
紐が切れたり伸びた時を考慮し、任意に紐を入れ替える事ができる、裾の両端に紐通し口（３）を設けた請求項１から請求項２に記載の下衣。
【請求項４】
紐の長さが十分でない場合には、紐にフック（４）を取り付ける事によって紐を結ばなくても固定できる請求項１から請求項３に記載の下衣。
【発明の詳細な説明】
【技術分野】
【０００１】  本発明は裾の長さを簡単に調節する事ができるアンダーウェアーを含む下衣に関するものである。
【背景技術】
【０００２】  従来、裾の長い下衣、幅の広い下衣、裾が長く幅の広い下衣、裾の広がった下衣等はトイレ使用時に裾が床について汚れたり、汚さないように手で下衣を持ったまま、又は足でずり落ちないよう工夫しなければならず、困ることが多かった。また、自転車やエスカレーター等に乗る際には巻き込まれる危険もある。
【先行技術文献】
【特許文献】
【００００３】
【特許文献１】特開２００１−１８１９２０（Ｐ２００１−１８１９２０Ａ）公報
【特許文献２】特開平８−３０２５０８公報
【特許文献３】実用新案登録第３０６５１９６号（Ｕ３０６５１９６）公報
【特許文献４】実用新案登録第３１３２９２８号（Ｕ３１３２９２８）公報
【特許文献５】特開平８−２０９４２１公報
【発明の概要】
【発明が解決しようとする課題】
【０００４】  解決しようとする問題点は、トイレ使用時など簡単に下衣の裾の長さを調節出来ない点であり、デザインや着心地等に影響がなく簡単に裾の長さを調節することができるアンダーウェアーを含む下衣を提供することを課題とする。
【課題を解決するための手段】
【０００５】  本発明はアンダーウェアーを含む下衣の裾部分（１）に紐通し口（３）を設け、裾部分に紐（２）を通すことを特徴とする。
【発明の効果】
【０００６】  裾部分に紐が通してあるので、裾部分に設けた紐通し口から紐を引っ張って膝や腰、あるいは任意の部分でその紐を縛る又は留める事により、トイレ使用時でも汚れる心配がなく、また自転車やエスカレーター等に乗る際の危険を減らすことができる。従来の裾汚れ対策のように別途、何かを持ち歩くこともない。操作も簡単であり、着心地に影響もない。人前でも危険回避のために簡単に使用することができる。
【図面の簡単な説明】
【０００７】
【図１】  本発明の正面図である。
【図２】  本発明の正面図である。
【図３】  本発明の正面図である。
【図４】  本発明の正面図である。
【図５】  本発明の正面図である。
【図６】  本発明の正面図である。
【図７】  本発明の断面図である。
【図８】  本発明の断面図である。
【発明を実施するための形態】
【０００８】  以下、本発明を実施するための最良の形態について説明する。
アンダーウェアーを含む下衣の裾部分（１）の両端に紐通し口（３）を作り、紐（２）を２本通す。本発明は、以上のような構造である。
【０００９】  これを使用する時は、裾部分に通した紐を裾部分両端に設けた紐通し口から互いに引っ張る事によって、裾が巾着の様な形になり、引っ張った紐を結ぶことによって、膝や腰など任意の部分で固定できるので、汚れを気にすることなくトイレを使用できる。また、自転車やエスカレーター等に乗る際の危険を減らすことができる。
【００１０】  紐の太さや種類、リボンやゴムにするなど工夫する事により普段の着用時のシルエット、着心地等に影響もない。
【００１１】  アンダーウェアーにこれを使用する場合は、アンダーウェアーで下衣を包むようにまくり上げ、紐を引っ張り結ぶ事により同じ効果が得られる。
【００１２】他の紐の固定の仕方として、紐の長さが十分でない等の場合は紐にフック（４）を取り付ける事によって結ばなくても固定できる裾部分紐付き下衣である。
【符号の説明】
【００１３】  １    下衣の裾部分
２    紐
３    紐通し口
４    フック
【図１】
0006893734.tif 000002
【図２】
0006893734.tif 000003
【図３】
0006893734.tif 000004
【図４】
0006893734.tif 000005
【図５】
0006893734.tif 000006
【図６】
0006893734.tif 000007
【図７】
0006893734.tif 000008
【図８】
0006893734.tif 000009
(57)【特許請求の範囲】
【請求項１】
車イス用入浴袋（以下、袋）は、袋の底部に、ネジ付きのフタによる排水口があり、袋の左右上部に、２つのフックがあり、フックは、浴室用の車イスの肘かけを、９０度回転させ上向きにした高さの位置で、肘かけ端部のフックと結び、袋を、車イス利用者の、首の高さまで、引き上げた状態で固定し、湯を溜めるもので、腹、胸、首    の位置には、ベルトがあり、袋の空間を絞り、湯量の節約をする、車イス用入浴袋。
【発明の詳細な説明】
【発明の概用】
【発明が解決しようとする課題】
【０００１】  車イス利用者の、入浴時の事故防止と、介護者の体力的負担
【課題を解決するための手段】
【０００２】  車イスに座ったままで、湯につかることができる袋。
【０００３】  袋の大きさは、浴室用の車イスを、丸ごと包む大きさで、袋の下に置く台より幅が広い
【０００４】  袋の底部に、直径１０ｃｍ位の排水口があり、ネジ付きのフタによって、閉じることができる。
【０００５】  袋の下の台は、袋から排水できるように、台の中央部に空間があり、台の三方は、車イスの落下防止のため、５ｃｍ位の立ち上がり部分がある。
【０００６】  袋の底辺を、台の上に載せ、排水口を、台の空間に合わせ、袋の側面は、たるませた状態で、台の周りに置いておく。
【０００７】  車イスを台の上に載せるため、板状のものを、スロープとして、立ち上がり部分のない一方に、置くことができる。
【０００８】  浴室用の車イスは、車輪でなくキャスターで移動し、折りたたみの必要のないもので、イスの下には、不必要な水が入らないように、箱状となっていて、水の節約ができる。
【０００９】  車イスには、足を置く場所があり、肘かけが左右２つづつ付いていて、左右の１つづつが、９０度回転し、利用者の首の高さ位まで上がり、肘かけの端部に、フックが付いていて、袋の上部位置の、左右２つのフックと結び、袋を、車イス利用者の、首の高さ位まで引き上げた状態で、固定できる。
【００１０】  袋は、腹、胸、首などの高さに、ベルトがあり、空間を絞り、湯の節約ができる。
【００１１】  蛇口にホースをつなぎ、ホースの出口を、車イスの背もたれにある、ホース用の穴に差し込み、背もたれの後ろから、足もとまで伸ばし、湯を入れる。
【００１２】  使い終った袋は、排水用のフタを外し、裏にして、洗濯用ネットに入れ、洗濯する。
【発明の効果】
【００１３】  車イス利用者は、浴室内の洗い場で、車イスを降りることなく、毎日入浴できる。
【００１４】  介護者は、浴室内で、車イス利用者を、持ち上げる必要がなく、転倒もなく、安全となり、体力的負担も少ない。
【発明を実施するための形態】
【００１５】  最初に、台の上に、排水口のフタを外した袋を載せ、台の空間に合わせ、袋の側面は、台の周りに、たるませた状態で、置く。
【００１６】  台の立ち上がり部分のない一方に、スロープとして、板状のものを置き、車イスを載せる。
【００１７】  せっけんで、簡単に体を洗い、シャワーで流す。
【００１８】  肘かけを９０度回転させ、袋を引き上げ、袋の上部の２つのフックを、肘かけ端部のフックに掛け、袋を車イス利用者の、首の高さまで引き上げた状態で固定する。
【００１９】  シャワーで、袋の内側の泡などを流し、袋の底部の排水口から、排水する。
【００２０】  排水口を、ネジ付きのフタで閉める。
【００２１】  蛇口とつないだホースを、背もたれのホース用の穴に差し込み、足もとまで伸ばし、湯を溜める。など、使い方は自由。
【要約】
【課題】  車イス利用者の、入浴時の事故防止と、介護者の体力的負担。
【解決手段】  車イスを包む大きさの袋の中で、車イスに座った状態で、袋に湯を入れ入浴する。これにより、浴室内での移動は最少となり、入浴時の事故防止と、介護者の体力的負担の軽減となる。
【選択図】なし
(57)【特許請求の範囲】
【請求項１】
機器の筐体に固定される同軸コネクタであって、
前記同軸コネクタの根元に色別用の収縮チューブが装着されて識別可能になっている、同軸コネクタ。
【発明の詳細な説明】
【技術分野】
【０００１】
本発明は、信号接続用に使われる同軸コネクタの識別表示に関する発明である。
【背景技術】
【０００２】
同軸コネクタとは、一般に、同軸ケーブルが接続されるコネクタであり、コネクタは、筒状部を有する外部導体と、筒状部と同軸に配置された中心導体を備え、外部導体と中心導体の間に樹脂成形体を配置して構成されるコネクタである。使用される場所は業務用放送の場合であれば、屋内やもしくは報道中継やロケーションなどの用途で機器同士を接続する場合に使用される。業務用放送であれば４Ｋ放送や８Ｋ放送を行うために使用される。同軸コネクタを使用した場合に３Ｇｂｐｓを同軸コネクタ１つで伝送する場合や、６Ｇｂｐｓ、さらには１２Ｇｂｐｓを同軸コネクタで伝送する場合がある。様々な信号の形態を同軸コネクタを用いて伝送することになり、必然的に多量の同軸コネクタを一つの筐体に設置することになる。
【発明の概要】
【発明が解決しようとする課題】
【０００３】
近年、映像の高精細化により、同軸コネクタを用いた業務用ビデオ機器が主流になっている。しかし、さらに、同軸ケーブルケーブルを用いての映像伝送は、４Ｋ映像の伝送や、８Ｋ映像の伝送などにより、業務用ビデオ機器に使われる同軸コネクタは数が多く増えている。さらに、映像の伝送だけでなくオーディオやタリー部分など、多くの他の信号接続にも同軸コネクタが使用されている。以上のことから、図４のように、１つの機器に何十個もの同軸コネクタが設置されている。現状では、使用者は機器筐体の板金に印字された文字を見て、接続作業をおこなっているが、非常に同軸コネクタどうしの間隔が狭く、筐体のシルク印刷ではその配置を識別することが容易ではなく、労力の要する作業であると発明者は考えた。これより、多数のコネクタを簡単に視認、識別することを可能にする点から、本発明の説明を行う。
【課題を解決するための手段】
【０００４】
本発明によれば、機器の筐体に固定される同軸コネクタであって、色による識別が可能になっている、同軸コネクタが提供される。
【０００５】
本発明の同軸コネクタは、色による識別が可能であるので、多数のコネクタを簡単に視認、識別することが可能である。
【０００６】
以下、本発明の種々の実施形態を例示する。以下に示す実施形態は互いに組み合わせ可能である。
好ましくは、前記記載の同軸コネクタであって、前記同軸コネクタの根本が色別に表示されている、同軸コネクタである。
好ましくは、前記記載の同軸コネクタであって、前記同軸コネクタの根元に色別用のチューブが装着されて識別可能になっている、同軸コネクタである。
好ましくは、前記記載の同軸コネクタであって、前記同軸コネクタの取付ナットが着色され識別可能になっている、同軸コネクタである。
好ましくは、前記記載の同軸コネクタであって、前記同軸コネクタの取付ワッシャーが着色され識別可能になっている、同軸コネクタである。
【図面の簡単な説明】
【０００７】
【図１】本発明の第１実施形態を表す筐体取付型同軸コネクタ
【図２】本発明の第２実施形態を表す筐体取付型同軸コネクタ
【図３】本発明の第３実施形態を表す筐体取付型同軸コネクタ
【図４】筐体取付型同軸コネクタが筐体に多数配置された時の参考図
【発明を実施するための形態】
【０００８】
以下、図面を用いて、本発明の実施形態について説明する。
【０００９】
図１は、本発明の第１実施形態の筐体取付型同軸コネクタである。以下、図１を用いて、本発明の第１実施形態の筐体取付型同軸コネクタについて説明する。この同軸コネクタａ１には、多種多様な信号の伝送に用いられる同軸ケーブルが接続される。同軸コネクタａ１は、機器の筐体にねじ止めまたは他の方法で固定される。同軸コネクタａ１を固定する際に、ａ４ワッシャーとａ３ナットを用いて固定を行う。また、さらにａ２チューブを用いて、同軸コネクタ部分に印を示す。ａ５の表示盤を用いて、同軸コネクタの筐体における機能を表示し、視認性を高める。
【００１０】
図２は、本発明の第２実施形態の筐体取付型同軸コネクタである。以下、図２を用いて、本発明の第２実施形態の筐体取付型同軸コネクタについて説明する。同軸コネクタａ１を固定する際に、ワッシャーａ４とナットａ３を用いて固定を行う。また、さらにａ６の銘板が入ったチューブを用いて、同軸コネクタ部分に機能性を示す。ａ５の表示盤を用いて、同軸コネクタの筐体における機能を表示し、視認性を高める。例えば、ａ５にＳＤＩ映像入力の旨を示した時、チューブに系統の銘記を行うなど、細かな指示などを記載することができる。
【００１１】
図３は、本発明の第３実施形態の筐体取付型同軸コネクタである。以下、図３を用いて、本発明の第３実施形態の筐体取付型同軸コネクタについて説明する。同軸コネクタａ１を固定する際に、色のついたワッシャーａ７と、ナットａ３を使用する。上記のチューブａ２もしくはａ６などを用いることにより、さらに細かな視認性を出すことができる。例えば、ａ５でＳＤＩ映像入力の旨を示し、ａ２もしくはａ６のチューブで系統などを示し、ａ７の色付きのワッシャーで詳しい伝送データ量などを示す、などである。上記の例だけでなく、銘板を含んだ表示銘板及びチューブ、色で示すワッシャーとチューブなどにより、多様な示し方が出来、それぞれに対応した組み合わせで使用者に視認性を高める。
【００１２】
図４は、筐体取付型同軸コネクタが筐体に多数配置された時の参考図である。以下、図４を用いて説明する。図４は、主な業務用ビデオ機器機材に使われる同軸コネクタが多数装備されていることを示す。映像や業務用ビデオシステムを構築にするにあたり、同軸コネクタは必要不可欠であるが、このような場合、仮に板金にシルク印刷または刻印などして機能が銘記されていても同軸コネクタ同士が近接、ケーブルが重なったりなどして、すぐ視認することができない。それらの問題を解決するために、本発明では従来単調な色が多い同軸コネクタに色や銘板を用いて使用者の視認性を高めることを目的とする。
【符号の説明】
【００１３】
ＡＡ  リングをいれた装着状態
ＢＢ  リング上に文字入れした状態
ＣＣ  ワッシャーに色をいれた状態
ａ１  同軸コネクタ部
ａ２  色で識別できる収縮チューブ
ａ３  同軸コネクタを固定するナット
ａ４  同軸コネクタを固定するワッシャー
ａ５  同軸コネクタの表示銘板
ａ６      銘板が記入された収縮チューブ
【図１】
0006844869.tif 000002
【図２】
0006844869.tif 000003
【図３】
0006844869.tif 000004
【図４】
0006844869.tif 000005